(57)【要約】  本発明は、カラー液晶表示装置（ＬＣＤ：Liquid Crystal Display）の透過型のカラー液晶表示パネルに用いられるカラーフィルタ（１９）であり、このカラーフィルタ（１９）は、赤色光、緑色光、青色光を波長選択透過する３原色カラーフィルタからなり、青色フィルタＣＦＢの透過波長帯域に対し、赤色フィルタＣＦＲの透過波長帯域が実質的に重ならないようにして互いの色の混色を防止する。【特許請求の範囲】
【請求項１】
１．  赤色光、緑色光、青色光を波長選択透過する３原色カラーフィルタからなる透過型のカラー液晶表示パネルのカラーフィルタにおいて、
青色フィルタの透過波長帯域に対し、赤色フィルタの透過波長帯域が実質的に重ならないようにして互いの色の混色を防止するようにしたことを特徴とするカラーフィルタ。
【請求項２】
２．上記赤色フィルタは、波長を４００ｎｍとする光に対し、その透過率が６％以下とされていることを特徴とする請求の範囲第１項記載のカラーフィルタ。
【請求項３】
３．上記青色フィルタの透過波長帯域を短波長側にシフトさせたことを特徴とする請求の範囲第１項記載のカラーフィルタ。
【請求項４】
４．赤色光、緑色光、青色光を波長選択透過する３原色フィルタからなるカラーフィルタを備えた透過型のカラー液晶表示パネルと、上記カラー液晶表示パネルを背面側から白色光で照明するバックライト装置とを備えるカラー液晶表示装置において、
青色フィルタの透過波長帯域に対し、赤色フィルタの透過波長帯域が実質的に重ならないようにして互いの色の混色を防止するようにしたことを特徴とするカラー液晶表示装置。
【請求項５】
５．上記赤色フィルタは、波長を４００ｎｍとする光に対し、その透過率が６％以下とされていることを特徴とする請求の範囲第４項記載のカラー液晶表示装置。
【請求項６】
６．上記バックライト装置は、赤色光を発光する赤色発光ダイオード、緑色光を発光する緑色発光ダイオード、ピーク波長λｐｂが、４４０ｎｍ≦λｐｂ＜４６０ｎｍである青色光を発光する青色発光ダイオードからなる光源と、上記光源から発光された赤色光、緑色光及び青色光を混色して、上記白色光とする混色手段とを備えることを特徴とする請求の範囲第４項記載のカラー液晶表示装置。
【請求項７】
７．上記カラーフィルタは、上記青色フィルタの透過波長帯域を短波長側にシフトさせたことを特徴とする請求の範囲第４項記載のカラー液晶表示装置。
【請求項８】
８．赤色光、緑色光、青色光を波長選択透過する３原色フィルタからなるカラーフィルタを備えた透過型のカラー液晶表示パネルと、上記カラー液晶表示パネルを背面側から白色光で照明するバックライト装置とを備えるカラー液晶表示装置において、
上記バックライト装置は、ピーク波長λｐｒが６４０ｎｍ≦λｐｒ≦６４５ｎｍである赤色光を発光する赤色発光ダイオード、ピーク波長λｐｇが５２５ｎｍ≦λｐｇ≦５３０ｎｍである緑色光を発光する緑色発光ダイオード及びピーク波長λｐｂが４４０ｎｍ≦λｐｂ≦４５０ｎｍである青色光を発光する青色発光ダイオードからなる光源と、上記光源から発光された赤色光、緑色光及び青色光を混色して上記白色光とする混色手段とを有し、
上記カラーフィルタは、透過波長帯域のピーク波長Ｆｐｒが６８５ｎｍ≦Ｆｐｒ≦６９０ｎｍであり、青色フィルタの透過波長帯域に対し透過波長帯域が実質的に重ならないようにして互いの色の混色を防止する赤色フィルタと、透過波長帯域のピーク波長Ｆｐｇが５３０ｎｍであり、上記透過波長帯域の半値幅Ｆｈｗｇが８０ｎｍ≦Ｆｈｗｇ≦１００ｎｍである緑色フィルタと、透過波長帯域のピーク波長Ｆｐｂが４４０ｎｍ≦Ｆｐｂ≦４６０ｎｍである青色フィルタとからなる
ことを特徴とするカラー液晶表示装置。
【請求項９】
９．上記赤色フィルタは、波長を４００ｎｍとする光に対し、その透過率が６％以下とされていることを特徴とする請求の範囲第８項記載のカラー液晶表示装置。
【請求項１０】
１０．上記緑色フィルタは、上記青色フィルタの上記透過波長帯域及び上記赤色フィルタの上記透過波長帯域における当該緑色フィルタの透過率を減少させることで、当該緑色フィルタの透過波長帯域の上記半値幅Ｆｈｗｇを８０ｎｍ≦Ｆｈｗｇ≦１００ｎｍとすることを特徴とする請求の範囲第８項記載のカラー液晶表示装置。
【請求項１１】
１１．上記緑色フィルタは、上記青色フィルタの上記透過波長帯域における当該緑色フィルタの透過率を減少させることで、当該緑色フィルタの透過波長帯域の上記半値幅Ｆｈｗｇを９０ｎｍ≦Ｆｈｗｇ≦１００ｎｍとすることを特徴とする請求の範囲第８項記載のカラー液晶表示装置。
【請求項１２】
１２．上記緑色フィルタの透過率を１５％上昇させることを特徴とする請求の範囲第１０項記載のカラー液晶表示装置。
【発明の詳細な説明】
【技術分野】
【０００１】
本発明は、カラー液晶表示装置（ＬＣＤ：Liquid Crystal Display）に関し、特に色域を広げ、より忠実な色再現性を確保するようにしたカラー液晶表示装置に関する。本出願は、日本国において２００４年７月１５日に出願された日本国特許出願番号２００４−２０８９１９及び２００４年９月３日に出願された日本国特許出願番号２００４−２５７７８５を基礎として優先権を主張するものであり、これらの出願は参照することにより、本出願に援用される。
【背景技術】
【０００２】
従来、コンピュータディスプレイ用の標準色空間としてＩＥＣ（International Electro-technical Commission）が規定したｓＲＧＢ規格がある。この規格は、赤（Ｒ）、緑（Ｇ）、青（Ｂ）の３原色の色度点をＩＴＵ−Ｒ（International Telecommunication Union Radio communication）が推奨するＲｅｃ．７０９の測色パラメータに一致させることによって、ビデオ信号ＲＧＢと測色値の関係を明確に定義したものであって、このｓＲＧＢ規格に準拠した表示装置では、同じビデオ信号ＲＧＢを与えれば、測色的に同じ色を表示できる。
ところで、カメラやスキャナにより取り込んだ色情報を受信し表示する映像機器、例えばディスプレイやプリンタは、受け取った色情報を正確に表示する必要がある。例えば、カメラが正確に色情報を取得したとしても、ディスプレイが不適切な色情報を表示することにより、システム全体の色再現性は劣化する。
現在の標準のモニタ装置での表示は、ｓＲＧＢ規格の色域で規定されているが、実際にはｓＲＧＢの色域を超えた色が多々あり、ｓＲＧＢ規格に則った標準のモニタ装置では表示できない物体色ができている。例えば、カメラに用いられる銀塩フィルムやデジタルカメラプリンタなどは、既にｓＲＧＢの範囲を超えている。しかし、広いダイナミックレンジを確保して正確に撮影を行ったとしても、ｓＲＧＢ規格の標準のモニタ装置では表示できない物体色が生じることになる。
そこで、広色域化に対応するためにｓＲＧＢよりも広い色空間を持ったｓＹＣＣが業界標準化された。ｓＹＣＣは、ｓＲＧＢからＩＴＵ−Ｒ  ＢＴ．６０１（ハイビジョン用に定義されたＲＧＢからＹＣＣへの変換マトリックスの国際規格）を使って輝度差色差分離空間を導いたもので、色空間としてはｓＹＣＣの方が色域が広く、ｓＲＧＢの外側の色も表現することができる。
一方、カラーテレビジョンの放送方式として採用されているＮＴＳＣ方式は、ｓＲＧＢに較べて帯域幅が広い。ｓＹＣＣを実現するには、ディスプレイ上でＮＴＳＣ方式での色域と同等或いはこれを超える必要がある。
また、テレビジョン放送が開始されてから長年使用されてきたＣＲＴ（Cathode Ray Tube）に代わり、液晶表示装置（ＬＣＤ：Liquid Crystal Display）や、プラズマディスプレイ（PDP：Plasma Display Panel）といった非常に薄型化されたテレビジョン受像機が開発され、実用化されている。特に、カラー液晶表示パネルを用いたカラー液晶表示装置は、低消費電力での駆動が可能であることや、大型のカラー液晶表示パネルの低価格化などに伴い、加速的に普及することが考えられ、今後の更なる発展が期待できる表示装置である。
カラー液晶表示装置は、透過型のカラー液晶表示パネルを背面側からバックライト装置にて照明することでカラー画像を表示させるバックライト方式が主流となっている。バックライト装置の光源としては、蛍光管を使った白色光を発光するＣＣＦＬ（Cold Cathode Fluorescent Lamp）が多く用いられている。
一般に、透過型のカラー液晶表示装置では、例えば、図１に示すような分光特性（スペクトル特性）の青色フィルタＣＦＢ０（４６０ｎｍ）、緑色フィルタＣＦＧ０（５３０ｎｍ）、赤色フィルタＣＦＲ０（６８５ｎｍ）からなる３原色フィルタを用いたカラーフィルタが、カラー液晶表示パネルの画素毎に備えられている。なお、カッコ内の数値は、各フィルタのピーク透過波長を示している。
これに対し、カラー液晶表示装置のバックライト装置の光源として用いられる３波長域型のＣＣＦＬが発光する白色光は、図２に示すようなスペクトルを示し、様々な波長帯域で異なる強度の光を含んでいることになる。
したがって、このような３波長域発光型のＣＣＦＬを光源とするバックライト装置と、上述したようなカラーフィルタを備えるカラー液晶表示パネルとの組み合わせによって再現される色は、非常に色純度が悪いといった問題がある。
図３に、上述したような３波長域型のＣＣＦＬを光源としたバックライト装置を備えるカラー液晶表示装置の色再現範囲を示す。図３は、国際照明委員会（ＣＩＥ：Commission Internationale de l'Eclairage）が定めたＸＹＺ表色系のｘｙ色度図である。
図３に示すようにＣＣＦＬを光源としたバックライト装置を備えたカラー液晶表示装置の色再現範囲は、カラーテレビジョンの放送方式として採用されているＮＴＳＣ（National Television System Committee）方式の規格で定められている色再現範囲より狭い範囲となっており、現行のテレビジョン放送に十分対応できているとはいえない。
また、ＣＣＦＬは、蛍光管内に水銀を封入するため、環境への悪影響が考えられるため、今後、バックライト装置の光源として、ＣＣＦＬに代わる光源が求められている。そこで、ＣＣＦＬに代わる光源として発光ダイオード（ＬＥＤ：Light Emitting Diode）が有望視されている。青色発光ダイオードの開発により、光の３原色である赤色光、緑色光、青色光をそれぞれ発光する発光ダイオードが揃ったことになる。したがって、この発光ダイオードをバックライト装置の光源とすることで、カラー液晶表示パネルを介した色光の色純度が高くなるため、色再現範囲をＮＴＳＣ方式で規定される程度、さらには、それを超える程度まで広げることが期待されている。
【発明の開示】
【発明が解決しようとする課題】
【０００３】
光源に発光ダイオードを用いるとＣＣＦＬに較べて非常に色純度が高くなるため、色再現範囲を大幅に広げることができる。また、色純度は、カラー液晶表示パネルに備えられたカラーフィルタの特性によっても大きく影響を受ける。例えば、上述した図１に示すような分光特性を示す赤色フィルタＣＦＲ０を用いた場合、所望の輝度は確保できるが赤色光として要求された光の色純度が低下し、色域を狭めてしまうといった問題がある。このように、カラー液晶表示装置の輝度と、色純度とは、互いにトレードオフの関係にある。
また、発光ダイオードを光源とするバックライト装置を使用したカラー液晶表示装置の色再現範囲は、未だ、ＮＴＳＣ方式で規定された色再現範囲を満たすほど十分広くないといった問題がある。
光源として３原色の発光ダイオードを用いる場合、色再現範囲は、主にこの発光ダイオードの波長帯域に依存する。また、更なる広色域化を図るには、この発光ダイオードの波長帯域に対応するようにカラー液晶表示パネルが備えるカラーフィルタの透過波長帯域を最適化することも非常に重要になる。つまり、光源として使用する発光ダイオードと、カラーフィルタとのマッチングによって、カラー液晶表示装置で表示される画像の色純度は、大きく変化し、色再現範囲に影響を与えるため、光源である発光ダイオードと、カラーフィルタとの最適設計は、広色域化を実現する上で重要なファクターとなる。
そこで、本発明は、上述したような問題を解決するために案出されたものであり、バックライト方式の液晶表示装置の広色域化を可能にするカラー液晶表示パネルのカラーフィルタ及びこのカラーフィルタを有する液晶表示パネルを備えたカラー液晶表示装置を提供することを目的とする。
また、本発明は、発光ダイオードと、カラーフィルタとの特性を最適化することで広色域化を可能にするバックライト方式のカラー液晶表示装置を提供することを目的とする。
本発明は、赤色光、緑色光、青色光を波長選択透過する３原色カラーフィルタからなる透過型のカラー液晶表示パネルのカラーフィルタであり、青色フィルタの透過波長帯域に対し、赤色フィルタの透過波長帯域が実質的に重ならないようにして互いの色の混色を防止するようにしたものである。
また、本発明は、赤色光、緑色光、青色光を波長選択透過する３原色フィルタからなるカラーフィルタを備えた透過型のカラー液晶表示パネルと、上記カラー液晶表示パネルを背面側から白色光で照明するバックライト装置とを備えるカラー液晶表示装置であり、その装置に用いられるカラーフィルタは、青色フィルタの透過波長帯域に対し、赤色フィルタの透過波長帯域が実質的に重ならないようにして互いの色の混色を防止するようにしたものである。
また、本発明は、赤色光、緑色光、青色光を波長選択透過する３原色フィルタからなるカラーフィルタを備えた透過型のカラー液晶表示パネルと、上記カラー液晶表示パネルを背面側から白色光で照明するバックライト装置とを備えるカラー液晶表示装置であり、バックライト装置は、ピーク波長λｐｒが６４０ｎｍ≦λｐｒ≦６４５ｎｍである赤色光を発光する赤色発光ダイオード、ピーク波長λｐｇが５２５ｎｍ≦λｐｇ≦５３０ｎｍである緑色光を発光する緑色発光ダイオード及びピーク波長λｐｂが４４０ｎｍ≦λｐｂ≦４５０ｎｍである青色光を発光する青色発光ダイオードからなる光源と、上記光源から発光された赤色光、緑色光及び青色光を混色して上記白色光とする混色手段とを有し、カラーフィルタは、透過波長帯域のピーク波長Ｆｐｒが６８５ｎｍ≦Ｆｐｒ≦６９０ｎｍであり、青色フィルタの透過波長帯域に対し透過波長帯域が実質的に重ならないようにして互いの色の混色を防止する赤色フィルタと、透過波長帯域のピーク波長Ｆｐｇが５３０ｎｍであり、上記透過波長帯域の半値幅Ｆｈｗｇが８０ｎｍ≦Ｆｈｗｇ≦１００ｎｍである緑色フィルタと、透過波長帯域のピーク波長Ｆｐｂが４４０ｎｍ≦Ｆｐｂ≦４６０ｎｍである青色フィルタとからなる点に特徴を有する。
本発明に係るカラーフィルタは、青色フィルタの透過波長帯域に対し、赤色フィルタの透過波長帯域が実質的に重ならないようにして互いの色の混色を防止すようにしたことにより、赤色フィルタを透過する赤色光の色純度が高くなるため、カラー液晶表示パネルを搭載したカラー液晶表示装置を広色域化することを可能とする。
また、本発明に係るカラー液晶表示装置は、バックライト装置の光源として用いる、赤色発光ダイオード、緑色発光ダイオード、青色発光ダイオードのうち青色発光ダイオードのピーク波長λｐｂを、４４０ｎｍ≦λｐｂ＜４６０ｎｍとすることで、カラーフィルタの分光特性と、青色発光ダイオードのピーク波長との関係が最適化され、広色域化が図られ、最適な輝度を確保することができる。
さらに、本発明に係るカラー液晶表示装置は、カラー液晶表示パネルに設けられる赤色フィルタ、緑色フィルタ、青色フィルタの特性と、バックライト装置に設けられる赤色発光ダイオード、緑色発光ダイオード、青色発光ダイオードの特性とのマッチングが図られ最適化されることで、画像の色再現範囲を大幅に拡大させることが可能となる。
本発明のさらに他の目的、本発明によって得られる具体的な利点は、以下において図面を参照して説明される実施に形態から一層明らかにされるであろう。
【図面の簡単な説明】
【０００４】
【図１】図１は、従来のカラー液晶表示装置に設けられるカラー液晶表示パネルのカラーフィルタの分光特性を示した図である。
【図２】図２は、カラー液晶表示装置に設けられるバックライト装置の光源（ＣＣＦＬ）のスペクトルを示した図である。
【図３】図３は、ＸＹＺ表色系のｘｙ色度図中に、バックライト装置の光源としてＣＣＦＬを用いた従来の示すカラー液晶表示装置の色再現範囲を示した図である。
【図４】図４は、本発明が適用されるカラー液晶表示装置を示す分解斜視図である。
【図５】図５は、カラー液晶表示装置を構成するカラー液晶表示パネルのカラーフィルタを示す平面図である。
【図６】図６は、カラー液晶表示装置を構成するバックライト装置を示す斜視図である。
【図７】図７は、カラー液晶表示装置を駆動する駆動回路を示すブロック回路図である。
【図８】図８は、Ｐｏｉｎｔｅｒ’ｓ  Ｃｏｌｏｒをプロットした図である。
【図９】図９は、ｓＲＧＢ規格の色再現範囲を示した図である。
【図１０】図１０は、Ａｄｏｂｅ  ＲＧＢ規格の色再現範囲を示した図である。
【図１１】図１１は、Ｐｏｉｎｔｅｒ規格の色再現範囲を示した図である。
【図１２】図１２は、ＮＴＳＣ比を１００％程度とするカラーフィルタの分光特性と、発光ダイオードのスペクトル特性を示した図である。
【図１３】図１３は、視感度について説明するために用いる図である。
【図１４】図１４は、青色発光ダイオードのピーク波長を可変させる場合において、カラーフィルタの分光特性と、各発光ダイオードで発光される光のスペクトルとを示した図である。
【図１５】図１５は、青色発光ダイオードのピーク波長を可変させる場合において、ピーク波長を変えた場合の各色域とピーク波長を変える前の色域とを示した図である。
【図１６】図１６は、青色発光ダイオードのピーク波長を可変させる場合において、カラーフィルタの分光特性と、各発光ダイオードで発光される光のスペクトルとを示した図である。
【図１７】図１７は、青色発光ダイオードのピーク波長を可変させる場合において、ピーク波長を変えた場合の各色域とピーク波長を変える前の色域とを示した図である。
【図１８】図１８は、カラーフィルタを改善した場合の色再現範囲を示した図である。
【図１９】図１９は、カラーフィルタを改善した場合の青色（Ｂ）領域の色域を示した図である。
【図２０】図２０は、カラーフィルタを改善した場合の緑色（Ｇ）領域の色域を示した図である。
【図２１】図２１は、カラーフィルタを改善した場合の赤色（Ｒ）領域の色域を示した図である。
【図２２】図２２は、図１７において示される測定結果を、ＮＴＳＣ比の青色発光ダイオードの波長依存性として示した図である。
【図２３】図２３は、青色発光ダイオード、青色フィルタを短波長側にシフトさせた際の、カラーフィルタの分光特性と、発光ダイオードのスペクトル特性を示した図である。
【図２４】図２４は、青色発光ダイオード、青色フィルタを短波長側にシフトさせた際の、ＮＴＳＣ比の青色発光ダイオードの波長依存性として示した図である。
【図２５】図２５は、青色発光ダイオード、青色フィルタを短波長側にシフトさせた際の色再現範囲を示した図である。
【図２６】図２６は、青色発光ダイオード、青色フィルタを短波長側にシフトさせた際の青色（Ｂ）領域の色域を示した図である。
【図２７】図２７は、青色発光ダイオード、青色フィルタを短波長側にシフトさせた際の緑色（Ｇ）領域の色域を示した図である。
【図２８】図２８は、青色発光ダイオード、青色フィルタを短波長側にシフトさせた際の赤色（Ｒ）領域の色域を示した図である。
【図２９】図２９は、赤色発光ダイオードを長波長側にシフトさせた際の、カラーフィルタの分光特性と、発光ダイオードのスペクトル特性を示した図である。
【図３０】図３０は、赤色発光ダイオードを長波長側にシフトさせた際の、ＮＴＳＣ比の赤色発光ダイオードの波長依存性として示した図である。
【図３１】図３１は、赤色発光ダイオードを長波長側にシフトさせた際の色再現範囲を示した図である。
【図３２】図３２は、赤色発光ダイオードを長波長側にシフトさせた際の青色（Ｂ）領域の色域を示した図である。
【図３３】図３３は、赤色発光ダイオードを長波長側にシフトさせた際の緑色（Ｇ）領域の色域を示した図である。
【図３４】図３４は、赤色発光ダイオードを長波長側にシフトさせた際の赤色（Ｒ）領域の色域を示した図である。
【図３５】図３５は、緑色フィルタの半値幅を狭めた際のカラーフィルタの分光特性と、発光ダイオードのスペクトル特性とを示した図である。
【図３６】図３６は、緑色フィルタの半値幅の変化量に対するＮＴＳＣ比を示した図である。
【図３７】図３７は、緑色フィルタの半値幅を狭めた際の色再現範囲を示した図である。
【図３８】図３８は、緑色フィルタの半値幅を狭めた際の青色（Ｂ）領域の色域を示した図である。
【図３９】図３９は、緑色フィルタの半値幅を狭めた際の緑色（Ｇ）領域の色域を示した図である。
【図４０】図４０は、緑色フィルタの半値幅を狭めた際の赤色（Ｒ）領域の色域を示した図である。
【図４１】図４１は、新たに改善されたカラーフィルタの分光特性と、発光ダイオードのスペクトル特性とを示した図である。
【図４２】図４２は、新たに改善されたカラーフィルタを用いた際の色再現範囲を示した図である。
【図４３】図４４は、図４１に示す新たに改善されたカラーフィルタの分光特性と、新たに最適化した発光ダイオードのスペクトル特性と示した図である。
【図４４】図４１に示す新たに改善されたカラーフィルタと、新たに最適化した発光ダイオードとを用いた際の青色（Ｂ）領域の色域を示した図である。
【図４５】図４１に示す新たに改善されたカラーフィルタと、新たに最適化した発光ダイオードとを用いた際の緑色（Ｇ）領域の色域を示した図である。
【図４６】図４１に示す新たに改善されたカラーフィルタと、新たに最適化した発光ダイオードとを用いた際の赤色（Ｒ）領域の色域を示した図である。
【発明を実施するための最良の形態】
【０００５】
以下、本発明の実施の形態を図面を参照して詳細に説明をする
。なお、本発明は、以下の例に限定されるものではなく、本発明の要旨を逸脱しない範囲で、任意に変更可能であることはいうまでもない。
本発明は、例えば、図４に示すような構成のバックライト方式のカラー液晶表示装置１００に適用される。
この透過型のカラー液晶表示装置１００は、図４に示すように、透過型のカラー液晶表示パネル１０と、このカラー液晶表示パネル１０の背面側に設けられたバックライトユニット４０とを備える。このカラー液晶表示装置１００は、図示しないが、地上波や衛星波を受信するアナログチューナー、デジタルチューナーといった受信部、この受信部で受信した映像信号、音声信号をそれぞれ処理する映像信号処理部、音声信号処理部、音声信号処理部で処理された音声信号を出力するスピーカといった音声信号出力部などを備えていてもよい。
透過型のカラー液晶表示パネル１０は、ガラス等で構成された２枚の透明な基板（ＴＦＴ基板１１、対向電極基板１２）を互いに対向配置させ、その間隙に、例えば、ツイステッドネマチック（ＴＮ）液晶を封入した液晶層１３を設けた構成となっている。ＴＦＴ基板１１には、マトリックス状に配置された信号線１４と、走査線１５と、この信号線１４、走査線１５の交点に配置されたスイッチング素子としての薄膜トランジスタ１６と、画素電極１７とが形成されている。薄膜トランジスタ１６は、走査線１５により、順次選択されると共に、信号線１４から供給される映像信号を、対応する画素電極１７に書き込む。一方、対向電極基板１２の内表面には、対向電極１８及びカラーフィルタ１９が形成されている。
続いて、カラーフィルタ１９について説明をする。カラーフィルタ１９は、各画素に対応した複数のセグメントに分割されている。例えば、図５に示すように、３原色である赤色フィルタＣＦＲ、緑色フィルタＣＦＧ、青色フィルタＣＦＢの３つのセグメントに分割されている。カラーフィルタの配列パターンは、図５に示すようなストライプ配列の他に、図示しないが、デルタ配列、正方配列などがある。カラーフィルタ１９については、後で詳細に説明をする。
このカラー液晶表示装置１００では、このような構成の透過型のカラー液晶表示パネル１０を２枚の偏光板３１，３２で挟み、バックライトユニット４０により背面側から白色光を照射した状態で、アクティブマトリックス方式で駆動することによって、所望のフルカラー映像を表示させることができる。
バックライトユニット４０は、上記カラー液晶表示パネル１０を背面側から照明する。このバックライトユニット４０は、図４に示すように、光源を備え、この光源から出射された光を混色した白色光を光出射面２０ａから面発光するバックライト装置２０と、このバックライト装置２０の光出射面２０ａ上に順に積層させる拡散シート４１、プリズムシート４２、偏光変換シート４３といった光学機能シート群とから構成されている。
光学機能シート群は、例えば、入射光を直交する偏光成分に分解する機能、光波の位相差を補償して広角視野角化や着色防止を図る機能、入射光を拡散させる機能、輝度向上を図る機能などを備えたシートで構成されており、バックライト装置２０から面発光された光をカラー液晶表示パネル１０の照明に最適な光学特性を有する照明光に変換するために設けられている。したがって、光学機能シート群の構成は、上述した拡散シート４１、プリズムシート４２、偏光変換シート４３に限定されるものではなく、様々な光学機能シートを用いることができる。
図６にバックライト装置２０の概略構成図を示す。バックライト装置２０は、図６に示すように、赤色光を発光する赤色発光ダイオード２１Ｒ、緑色光を発光する緑色発光ダイオード２１Ｇ、青色光を発光する青色発光ダイオード２１Ｂを光源として用いている。なお、以下の説明において、赤色発光ダイオード２１Ｒ、緑色発光ダイオード２１Ｇ、青色発光ダイオード２１Ｂを総称する場合は、単に発光ダイオード２１という。
図６に示すように各発光ダイオード２１は、基板２２上に、所望の順番で一列に配列され、発光ダイオードユニット２１ｎ（ｎは、自然数。）を形成する。基板２２上に各発光ダイオードを配列する順番は、例えば、図６に示すように、緑色発光ダイオード２１Ｇを等間隔で配置させ、等間隔で配置させた、隣り合う緑色発光ダイオード２１Ｇの間に、赤色発光ダイオード２１Ｒ、青色発光ダイオード２１Ｂを交互に配置させるような順番である。
発光ダイオードユニット２１ｎは、バックライトユニット４０が照明するカラー液晶表示パネル１０のサイズに応じて、バックライト装置２０の筐体であるバックライトハウス２３内に、複数列、配置されることになる。
バックライトハウス２３内への発光ダイオードユニット２１ｎの配置の仕方は、図６に示すように、発光ダイオードユニット２１ｎの長手方向が、水平方向となるように配置してもよいし、図示しないが、発光ダイオードユニット２１ｎの長手方向が垂直方向となるように配置してもよいし、両者を組み合わせてもよい。
なお、発光ダイオードユニット２１ｎの長手方向を、水平方向或いは垂直方向とするように配置する手法は、従来までのバックライト装置の光源として利用していたＣＣＦＬの配置の仕方と同じになるため、蓄積された設計ノウハウを利用することができ、コストの削減や、製造までに要する時間を短縮することができる。
バックライトハウス２３内に組み込まれた赤色発光ダイオード２１Ｒ、緑色発光ダイオード２１Ｇ、青色発光ダイオード２１Ｂから発光された光は、当該バックライトハウス２３内で混色されて白色光とされる。このとき、各発光ダイオード２１から出射した赤色光、緑色光、青色光が、バックライトハウス２３内にて一様に混色されるように、各発光ダイオード２１には、レンズやプリズム、反射鏡などを配置させて、広指向性の出射光が得られるようにする。
また、バックライトハウス２３内には、図示しないが、光源である発光ダイオード２１から出射された各色光を色ムラの少ない白色光に混色する混色機能を備えたダイバータプレートや、このダイバータプレートから出射した白色光を面状発光させるために面方向に内部拡散させる拡散板などが設けられている。
バックライト装置２０から混色されて出射された白色光は、上述した光学機能シート群を介して、カラー液晶表示パネル１０に背面側から照明される。
このカラー液晶表示装置１００は、例えば、図７に示すような駆動回路２００により駆動される。
この駆動回路２００は、カラー液晶表示パネル１０や、バックライト装置２０の駆動電源を供給する電源部１１０、カラー液晶表示パネル１０を駆動するＸドライバ回路１２０及びＹドライバ回路１３０、外部から供給される映像信号や、当該カラー液晶表示装置１００が備える図示しない受信部で受信され、映像信号処理部で処理された映像信号が、入力端子１４０を介して供給されるＲＧＢプロセス処理部１５０、このＲＧＢプロセス処理部１５０に接続された画像メモリ１６０及び制御部１７０、バックライトユニット４０のバックライト装置２０を駆動制御するバックライト駆動制御部１８０などを備えている。
この駆動回路２００において、入力端子１４０を介して入力された映像信号は、ＲＧＢプロセス処理部１５０により、クロマ処理などの信号処理がなされ、さらに、コンポジット信号からカラー液晶表示パネル１０の駆動に適したＲＧＢセパレート信号に変換されて、制御部１７０に供給されるとともに、画像メモリ１６０を介してＸドライバ回路１２０に供給される。
また、制御部１７０は、ＲＧＢセパレート信号に応じた所定のタイミングで、Ｘドライバ回路１２０及びＹドライバ回路１３０を制御して、上記画像メモリ１６０を介してＸドライバ回路１２０に供給されるＲＧＢセパレート信号で、カラー液晶表示パネル１０を駆動することにより、上記ＲＧＢセパレート信号に応じた映像を表示する。
バックライト駆動制御部１８０は、電源１１０から供給される電圧から、パルス幅変調（ＰＷＭ）信号を生成し、バックライト装置２０の光源である各発光ダイオード２１を駆動する。一般に発光ダイオードの色温度は、動作電流に依存するという特性がある。したがって、所望の輝度を得ながら、忠実に色再現させる（色温度を一定とする）には、パルス幅変調信号を使って発光ダイオード２１を駆動し、色の変化を抑える必要がある。
ユーザインターフェース３００は、上述した図示しない受信部で受信するチャンネルを選択したり、同じく図示しない音声出力部で出力させる音声出力量を調整したり、カラー液晶表示パネル１０を照明するバックライト装置２０からの白色光の輝度調節、ホワイトバランス調節などを実行するためのインターフェースである。
例えば、ユーザインターフェース３００から、ユーザが輝度調節をした場合には、駆動回路２００の制御部１７０を介してバックライト駆動制御部１８０に輝度制御信号が伝わる。バックライト駆動制御部１８０は、この輝度制御信号に応じて、パルス幅変調信号のデューティ比を、赤色発光ダイオード２１Ｒ、緑色発光ダイオード２１Ｇ、青色発光ダイオード２１Ｂ毎に変えて、赤色発光ダイオード２１Ｒ、緑色発光ダイオード２１Ｇ、青色発光ダイオード２１Ｂを駆動制御することになる。
このような構成のカラー液晶表示装置１００は、カラー液晶表示パネル１０に設けられる赤色フィルタＣＦＲ、緑色フィルタＣＦＧ、青色フィルタＣＦＢの特性と、バックライト装置２０に設けられる発光ダイオード２１Ｒ，２１Ｇ，２１Ｂの特性とのマッチングを図り最適化することで、カラー液晶表示パネル１０に表示される画像の色再現範囲を拡大させる。
ところで、コンピュータのモニタ装置や、テレビジョン受像機等に用いられる表示装置においては、前述したように色再現範囲に様々な規格があり、一般にこの種の表示装置は、何らかの規格に準拠するような色再現範囲となるように、カラーフィルタ１９の設計、発光ダイオード２１の選択がなされる。本発明の実施の形態として示すカラー液晶表示装置１００においては、アプリケーションソフトウェアであるＰｈｏｔｏｓｈｏｐ（Adobe System Inc.社製）で用いられている色再現範囲の規格であるＡｄｏｂｅ  ＲＧＢ規格をさらに拡張した新たな色再現範囲に準拠するように、カラーフィルタ１９を設計し、各発光ダイオード２１を選択することで最適化を図るようにする。
Ａｄｏｂｅ  ＲＧＢ規格は、ｓＲＧＢ規格よりも広い色再現範囲であり、国際的な標準規格ではないものの、印刷／出版といった業務用途でデファクトスタンダードとして認知されている。このＡｄｏｂｅ  ＲＧＢ規格は、大型ディスプレイを使って印刷物の色再現をモニタする需要が増加したことによって、適用されるようになってきた。
図８に、Ｐｏｉｎｔｅｒ’ｓ  Ｃｏｌｏｒの７８６色をｘｙ色度図にプロットした様子を示す。図８に示すＰｏｉｎｔｅｒ’ｓ  Ｃｏｌｏｒは、マンセル表色系（色票）をベースとし、自然界に実在する表面色を７８６色だけ抽出した色票であり、このＰｏｉｎｔｅｒ’ｓ  Ｃｏｌｏｒが表現できれば、人が認知できる色をほぼ表現しているとすることができる。
図９は、従来において、ディスプレイの色再現範囲を規定する際に用いられたｓＲＧＢ規格の色再現範囲が、図８で示したＰｏｉｎｔｅｒ’ｓ  Ｃｏｌｏｒをどれだけカバーしているかを示した図である。図９には、国際照明委員会（ＣＩＥ）が定めたＸＹＺ表色系も示している。図９からも分かるように、ｓＲＧＢ規格の色再現範囲は、Ｐｏｉｎｔｅｒ’ｓ  Ｃｏｌｏｒよりもかなり狭い範囲である。ｓＲＧＢ規格の色再現範囲が、Ｐｏｉｎｔｅｒ’ｓ  Ｃｏｌｏｒをどれだけカバーしているかを具体的に計算すると約５５％となる。つまり、ｓＲＧＢ規格では、世の中の色の５５％程度しか表現できないということになる。
図１０は、図９にＡｄｏｂｅ  ＲＧＢ規格の色再現範囲を加えた図である。図１０からも分かるように、Ａｄｏｂｅ  ＲＧＢ規格の色再現範囲は、Ｐｏｉｎｔｅｒ’ｓ  Ｃｏｌｏｒをほぼ網羅している。Ａｄｏｂｅ  ＲＧＢ規格の色再現範囲が、Ｐｏｉｎｔｅｒ’ｓ  Ｃｏｌｏｒをどれだけカバーしているかを具体的に計算すると約８０％となる。つまり、Ａｄｏｂｅ  ＲＧＢ規格では、世の中の色の８０％程度を表現できるということになる。
図１０に示すように、Ａｄｏｂｅ  ＲＧＢ規格では、Ｐｏｉｎｔｅｒ’ｓ  Ｃｏｌｏｒを満たすことはできず、特に、絵具・印刷インクなどでの３原色の一つであり緑色（Ｇ）の補色であるマゼンタ（赤紫）を中心とするマゼンタ領域をカバーすることができていない。そこで、図１１に示すようにマゼンタ領域を補うようにＡｄｏｂｅ  ＲＧＢ規格を拡張した新たな色再現範囲となる規格を提示する。図１１に示す新たな色再現範囲は、Ｐｏｉｎｔｅｒ’ｓ  ＣｏｌｏｒをＡｄｏｂｅ  ＲＧＢ規格よりもさらにカバーしており、具体的に計算をすると約９０％のＰｏｉｎｔｅｒ’ｓ  Ｃｏｌｏｒをカバーできることが分かる。以下、Ａｄｏｂｅ  ＲＧＢが拡張された色再現範囲となる新たな規格を、Ｐｏｉｎｔｅｒ’ｓ  Ｃｏｌｏｒをほぼ満たすことからＰｏｉｎｔｅｒ規格と呼ぶことにする。
本発明の実施の形態として示すカラー液晶表示装置１００では、カラー液晶表示パネル１０に表示される画像を、このＰｏｉｎｔｅｒ規格を満たす色再現範囲となるように、カラーフィルタ１９を設計し、各発光ダイオード２１を選択することで最適化を図るようにする。
このとき、本発明の実施の形態として示すカラー液晶表示装置１００では、バックライト装置２０から出射される白色光のホワイトバランスが、所望の色温度となるようなスペクトル強度を保つ必要がある。
例えば、カラー液晶表示装置１００では、バックライト装置２０から出射される白色光のホワイトバランスを、色温度が１００００±１０００Ｋ（ケルビン）となるように合わせることにする。このように、バックライト装置２０から出射される白色光の色温度が、１００００±１０００Ｋとなるためには、赤色発光ダイオード２１Ｒ、緑色発光ダイオード２１Ｇ、青色発光ダイオード２１Ｂで発光される赤色光、緑色光、青色光のピーク波長の強度比を、単純に１：１：１とするのではなく、所定の割合に変更する必要があり、発光ダイオード２１の特性を変化させた場合もこれを常に保つ必要がある。
図１２に、色再現範囲がＮＴＳＣと同程度、つまりＮＴＳＣ比が１００％程度となる場合のカラー液晶表示装置１００のカラー液晶表示パネル１０に備えられたカラーフィルタ１９の分光特性と、それに対応した発光ダイオード２１のスペクトル特性とを示す。ＮＴＳＣ比と同程度の色再現範囲は、上述したｓＲＧＢ規格の色再現範囲よりは広いが、Ｐｏｉｎｔｅｒ規格はもちろん、Ａｄｏｂｅ  ＲＧＢ規格の色再現範囲にも及ばない程度である。
本発明の実施の形態として示すカラー液晶表示装置１００では、このＮＴＳＣと同程度の色再現範囲を基準とすることにする。具体的には、図１２に示すように、ピーク波長Ｆｐｒ＝６８５ｎｍの赤色フィルタＣＦＲ、ピーク波長Ｆｐｇ＝５３０ｎｍの緑色フィルタＣＦＧ、ピーク波長Ｆｐｂ＝４６０ｎｍの青色フィルタＣＦＢに対し、赤色発光ダイオード２１Ｒ、緑色発光ダイオード２１Ｇ、青色発光ダイオード２１Ｂの各ピーク波長が、それぞれ６４０ｎｍ、５２５ｎｍ、４５０ｎｍである場合、ＮＴＳＣ比をおよそ１００％程度とするような色再現範囲となる。
この色再現範囲をＰｏｉｎｔｅｒ規格まで拡張させるには、色純度を高め、色域を広げることと同義であるため、例えば、図１２中に丸印で示した、発光ダイオード２１から発光された各色光のスペクトルと、隣り合うカラーフィルタ１９の透過波長帯域とがクロスするクロスポイントを下げること、究極には、クロスポイントをゼロとすることが重要となり、これが基本的な設計思想となる。
このクロスポイントを下げるには、理想的には、緑色発光ダイオードで発光される緑色光のピーク波長を中心にして、赤色発光ダイオード２１Ｒで発光される赤色光のピーク波長をなるべく長波長側とし、緑色フィルタＣＦＧを透過しないようにし、青色発光ダイオード２１Ｂで発光される青色光のピーク波長をなるべく短波長側とし、緑色フィルタＣＦＧを透過しないようにする。また、緑色フィルタＣＦＧの半値幅を狭め、透過波長帯域を狭めることでもクロスポイントを下げることができる。
しかしながら、人の目の光に対する感度（視感度）は、波長によって異なっており、図１３に示すように、５５５ｎｍでピークをとり、長波長側、短波長側になるにつれ低くなっていく。図１３は、視感度がピークとなる５５５ｎｍを１とした比視感度曲線である。
したがって、赤色発光ダイオード２１Ｒで発光される赤色光のピーク波長、青色発光ダイオード２１Ｂで発光される青色光のピーク波長をそれぞれ、長波長側、短波長側にシフトしすぎたり、緑色フィルタＣＦＧの半値幅を狭めすぎたりすると視感度が下がってしまい、下がった視感度を上げるためには非常に高いパワーが必要になってしまう。
そこで、赤色発光ダイオード２１Ｒで発光される赤色光のピーク波長、青色発光ダイオード２１Ｂで発光される青色光のピーク波長を、パワー効率を下げない程度に、それぞれ長波長側、短波長側にシフトさせ、緑色フィルタＣＦＧの透過波長帯域を狭めることで、所望の色再現範囲となるよう色純度を高め、色域を広げることが可能となる。
このように、適切な所望のホワイトバランスとなるように各発光ダイオード２１の発光強度を保ちながら、上述した基本的な設計思想に基づいて、カラー液晶表示装置１００の色再現範囲をＰｏｉｎｔｅｒ規格まで広げるには、以下に示すような具体的な手法を提案することができる。
なお、以下に示す手法において、全ての色域は、カラー液晶表示装置１００のカラー液晶表示パネル１０から出射される表示光を測色計にて測定している。
実施例１：青色発光ダイオード２１Ｂのピーク波長λｐｂを短波長側へシフトする例
上述したように、青色発光ダイオード２１Ｂのピーク波長λｐｂを短波長側へシフトすると、緑色フィルタＣＦＧとのクロスポイントが下がるため、色再現範囲が広がることになる。
しかしながら、図１２に示すように、青色フィルタＣＦＢの透過波長帯域中の波長が４００ｎｍ〜４５０ｎｍ付近の波長領域Ｆにおいて、赤色フィルタＣＦＲが一定量の透過率を有していると、色純度を上げ、色域を広げることを阻害してしまうことになる。例えば、図１２に示すように、赤色フィルタＣＦＲの透過量が４５０ｎｍから４００ｎｍに向かって徐々に増加し、４００ｎｍの波長で１２％程度の透過率を有するような場合に、青色フィルタＣＦＢを透過する青色と赤色フィルタＣＦＲを透過する赤色との混色により、各色の色純度が劣化させ、色域を広げることを阻害させてしまう。これについて、以下に検証をする。
図１２に示すように、カラーフィルタ１９の分光特性が、青色フィルタＣＦＢの透過波長帯域中の４００ｎｍ〜４５０ｎｍ付近の波長領域Ｆにおいて、赤色フィルタＣＦＲの透過率がゼロになっていないとする。以下、このカラーフィルタ１９をカラーフィルタ１９Ｚと呼ぶ。また、図１２に示すカラーフィルタ１９Ｚの分光特性に合わせて、バックライト装置２０の光源である赤色発光ダイオード２１Ｒ、緑色発光ダイオード２１Ｇ、青色発光ダイオード２１Ｂで発光される赤色光、緑色光、青色光のピーク波長をそれぞれλｐｒ＝６４０ｎｍ、λｐｇ＝５２５ｎｍ、λｐｂ＝４５０ｎｍとする。
このように各発光ダイオード２１のピーク波長を選択した場合、図１２に示すように、青色光のピーク波長と、緑色光のピーク波長との間隔ｄ１と、赤色光のピーク波長と、緑色光のピーク波長との間隔ｄ２とを比較するとｄ１＜ｄ２となっているため、間隔ｄ１がｄ２よりも狭いことから、青色光と緑色光との混色が生じやすく色純度が悪くなり色域を広げることができない。
そこで、発光する青色光のピーク波長が、λｐｂが４５０ｎｍよりも短波長側（図１２中矢印Ｓ方向）へシフト（波長帯域を変える）した青色発光ダイオード２１Ｂを用いることを考える。このような、青色発光ダイオード２１Ｂを用いると、間隔ｄ１が広がるため、青色光と緑色光との混色も生じにくく色純度がよくなり、色域を広げることができる。
これを検証するため、図１２に示すような分光特性を有するカラーフィルタ１９Ｚに対して、青色発光ダイオード２１Ｂのピーク波長をシフトさせた場合の色域を測定し、ピーク波長をシフトさせる前の色域と比較する。具体的には、赤色発光ダイオード２１Ｒ、緑色発光ダイオード２１Ｇのピーク波長を固定しておき、青色発光ダイオード２１Ｂをピーク波長の異なるものを幾つか用意して、それらを取り替えながら、色域を測定した。
図１４は、図１２でも示したカラーフィルタ１９Ｚの分光特性と、赤色発光ダイオード２１Ｒ、緑色発光ダイオード２１Ｇ、青色発光ダイオード２１Ｂで発光された赤色光、緑色光、青色光の波長スペクトルを示した図である。青色発光ダイオード２１Ｂは、ピーク波長が（４６０−５Ｎ）ｎｍの青色発光ダイオード２１ＢＮ（Ｎ＝０，１，２，…５，６）を７個用意した。
なお、図１４では、青色発光ダイオード２１Ｂのピーク波長λｐｂを短波長側へシフトする効果をより明確にするため、４５０ｎｍよりも長波長のピーク波長λｐｂ＝４６０ｎｍの青色発光ダイオード２１Ｂを用いた測定から開始している。
図１５は、ピーク波長が（４６０−５Ｎ）ｎｍの青色発光ダイオード２１ＢＮを用いた際の色域を測定した結果である。図１５に示すように、緑色Ｇ側、青色Ｂ側では、青色発光ダイオード２１ＢＮのピーク波長を短波長側にシフトさせるのに伴って、シフト前の色域よりも広くなっているのが分かる。一方、赤色Ｒ側の色域は、青色発光ダイオード２１ＢＮのピーク波長をより短波長側にシフトさせるのに伴って、シフト前の色域よりも広くなるはずが、逆に狭くなってしまっている。すなわち、ピーク波長、λｐｂ＝４３０ｎｍである青色発光ダイオード２１Ｂ６を用いたときに最も色域が狭くなってしまっている。
次に、以上の結果を踏まえ、図１２に示す４００ｎｍ〜４５０ｎｍの波長領域Ｆにおいて赤色フィルタＣＦＲの透過率をゼロにした分光特性を有するカラーフィルタ１９Ａに対して、上述したのと同様にして青色発光ダイオード２１Ｂのピーク波長をシフトさせた場合の色域を測定し、ピーク波長をシフトする前の色域と比較する。
図１６は、カラーフィルタ１９Ａの分光特性と、赤色発光ダイオード２１Ｒ、緑色発光ダイオード２１Ｇ、青色発光ダイオード２１Ｂで発光された赤色光、緑色光、青色光の波長スペクトルを示した図である。青色発光ダイオード２１Ｂは、ピーク波長が（４６０−５Ｎ）ｎｍの青色発光ダイオード２１ＢＮ（Ｎ＝０，１，２，…５，６）を７個用意した。
なお、図１６でも図１４と同様に、青色発光ダイオード２１Ｂのピーク波長λｐｂを短波長側へシフトする効果をより明確にするため、４５０ｎｍよりも長波長のピーク波長λｐｂ＝４６０ｎｍの青色発光ダイオード２１Ｂを用いた測定から開始している。
図１７は、ピーク波長が（４６０−５Ｎ）ｎｍの青色発光ダイオード２１ＢＮを用いた際の色域を測定した結果である。図１７に示すように、緑色Ｇ側、青色Ｂ側では、青色発光ダイオード２１ＢＮのピーク波長を短波長側にシフトさせるのに伴って、シフト前の色域よりも広くなっているのが分かる。一方、赤色Ｒ側の色域も、色度点が減少方向にずれていないことから、図１５とは異なり、青色発光ダイオード２１ＢＮのピーク波長をより短波長側にシフトさせるのに伴って、色域が狭くなることが改善されているのが分かる。つまり、ピーク波長、λｐｂ＝４３０ｎｍである発光ダイオード２１Ｂ６を用いたときに最も色域が広くなっている。
図１５に示した結果は、図１２に示す分光特性を有するカラーフィルタ１９Ｚの波長領域Ｆとして示した青色フィルタＣＦＢの透過波長帯域において、赤色フィルタＣＦＲが透過率を有しているために、赤色フィルタＣＦＲを透過した赤色光の色純度が低くなることを反映している。図１７に示した結果は、図１２に示す分光特性を有するカラーフィルタ１９Ｚの波長領域Ｆにおける赤色フィルタＣＦＲの透過率をゼロとしたカラーフィルタ１９Ａを用いることで、赤色フィルタＣＦＲに入射した光が、青色フィルタＣＦＢの透過波長帯域と同じ波長帯域において、赤色フィルタＣＦＲを透過することがないため、赤色フィルタＣＦＲを透過した赤色光の色純度が高くなり、上述したような問題が改善されていることを示している。
図１８は、ピーク波長λｐｂ＝４５０ｎｍとなる青色発光ダイオード２１Ｂを用いた場合に、赤色（Ｒ）、緑色（Ｇ）、青色（Ｂ）における各領域で色度点がどれだけ改善されたかを検証するためにｘｙ色度図中に色度点をプロットした図である。図１９、図２０、図２１は、それぞれ青色（Ｂ）、緑色（Ｇ）、赤色（Ｒ）の各領域を拡大した図である。なお、図１８，図１９，図２０、図２１のｘｙ色度図中には、Ｐｏｉｎｔｅｒ’ｓ  Ｃｏｌｏｒ、ｓＲＧＢ規格の色再現範囲、Ａｄｏｂｅ  ＲＧＢ規格の色再現範囲、Ｐｏｉｎｔｅｒ規格の色再現範囲、国際照明委員会（ＣＩＥ）が定めたＸＹＺ表色系も同時に示してある。
図１９、図２０、図２１より詳細となるように、青色（Ｂ）、緑色（Ｇ）の領域で色度点に変化はないが、赤色（Ｒ）の領域では、カラーフィルタ１９Ａを用いることで色度点がＰｏｉｎｔｅｒ規格よりも広がり改善されているのが分かる。一方、カラーフィルタ１９Ｚを用いた場合には、赤色（Ｒ）の領域では、Ｐｏｉｎｔｅｒ規格とほぼ同じ色度点となっている。
図２２に、青色フィルタＣＦＢの透過波長帯域中の４００ｎｍ〜４５０ｎｍ付近の波長領域Ｆにおいて、赤色フィルタＣＦＲの透過率がゼロになっていないカラーフィルタ１９Ｚを用いた際に測定される図１５に示す色域から求めたＮＴＳＣ比の青色発光ダイオード２１Ｂのピーク波長依存性と、４００ｎｍ〜４５０ｎｍの波長領域Ｆにおいて赤色フィルタＣＦＲの透過率をゼロとしたカラーフィルタ１９Ａを用いた際に測定される図１７に示す色域から求めたＮＴＳＣ比の青色発光ダイオード２１Ｂのピーク波長依存性とを示す。
図２２に示すように、ピーク波長λｐｂが４５０ｎｍの場合に着目すると、カラーフィルタ１９Ａは、カラーフィルタ１９Ｚに較べて、ＮＴＳＣ比が２％程度、つまり、１０８％から１１０％に向上しているのが分かる。
そして、４００ｎｍ〜４５０ｎｍの波長領域Ｆにおいて赤色フィルタＣＦＲの透過率がカラーフィルタ１９Ｚより改善されたカラーフィルタを用いることでＮＴＳＣ比を改善することができる。例えば、図１２に示すように、４００ｎｍの波長において、赤色フィルタＣＦＲの透過率を６％としたカラーフィルタ１９ＹのＮＴＳＣ比の青色発光ダイオード２１Ｂのピーク波長依存性は図２２中に示すようになる。このカラーフィルタ１９Ｙは、ピーク波長λｐｂが４５０ｎｍにおいて、カラーフィルタ１９Ｚに較べて、ＮＴＳＣ比が１％程度、つまり、１０８％から１０９％に向上している。
上述したように、青色フィルタＣＦＢの透過波長帯域における赤色フィルタＣＦＲの透過率をゼロ若しくは６％以下とすることで、赤色（Ｒ）の領域の色域を広げることができた。したがって、このような赤色フィルタＣＦＲを有するカラーフィルタ１９Ａ、１９Ｙに対して、青色発光ダイオード２１Ｂのピーク波長λｐｂを短波長側にシフトさせてクロスポイントを下げると、さらに色純度を高め、色域を広げることができる。このとき、青色発光ダイオード２１Ｂのピーク波長λｐｂを短波長側へシフトすることに伴い、青色フィルタＣＦＢも短波長側へシフトさせることを考える。
つまり、図２３に示すように、青色発光ダイオード２１Ｂのピーク波長λｐｂを４５０ｎｍから１０ｎｍだけ短波長側にシフトさせ４４０ｎｍとするのに伴い、青色フィルタＣＦＢもピーク波長Ｆｐｂを４６０ｎｍから２０ｎｍだけ短波長側にシフトさせ４４０ｎｍとする。なお、以下の説明において、カラーフィルタ１９Ａの青色フィルタＣＦＢのピーク波長Ｆｐｂを、４４０ｎｍ≦Ｆｐｂ≦４６０ｎｍとしたカラーフィルタをカラーフィルタ１９Ｂと呼ぶ。
図２４は、青色発光ダイオード２１Ｂのピーク波長λｐｂの変化に対するＮＴＳＣ比の変化の様子を示した図である。図２４に示すように、ＮＴＳＣ比は、カラーフィルタ１９Ａを用いた場合の１１０％から１１５％となり、５％向上していることが分かる。
図２５は、Ｆｐｂ＝４４０ｎｍであるカラーフィルタ１９Ｂを用いると共に青色発光ダイオード２１Ｂのピーク波長λｐｂを４４０ｎｍにシフトさせた場合に、赤色（Ｒ）、緑色（Ｇ）、青色（Ｂ）における各領域で色度点がどれだけ改善されたかを検証するためにｘｙ色度図中に色度点をプロットした図である。図２６、図２７、図２８は、それぞれ青色（Ｂ）、緑色（Ｇ）、赤色（Ｒ）の各領域を拡大した図である。なお、図２５、図２６、図２７、図２８のｘｙ色度図中には、Ｐｏｉｎｔｅｒ’ｓ  Ｃｏｌｏｒ、ｓＲＧＢ規格の色再現範囲、Ａｄｏｂｅ  ＲＧＢ規格の色再現範囲、Ｐｏｉｎｔｅｒ規格の色再現範囲、国際照明委員会（ＣＩＥ）が定めたＸＹＺ表色系、カラーフィルタ１９Ｚの色度点、カラーフィルタ１９Ａの色度点も同時に示してある。
図２６、図２７、図２８から一層明らかになるように、赤色（Ｒ）の領域で色度点に変化はないが、青色（Ｂ）の領域での色度点が大きく改善され、ｓＲＧＢの色再現範囲をカバーしながらＰｏｉｎｔｅｒ規格程度まで色域が広がっているのが分かる。また、緑色（Ｇ）の領域でも、青色発光ダイオード２１Ｂとの混色が抑制されたため、若干色域が広がっているのが分かる。
つまり、青色発光ダイオード２１Ｂのピーク波長λｐｂを、４４０ｎｍ≦λｐｂ≦４５０ｎｍとすると共に、カラーフィルタ１９Ａの青色フィルタＣＦＢのピーク波長Ｆｐｂを、４４０ｎｍ≦Ｆｐｂ≦４６０ｎｍとしたカラーフィルタ１９Ｂを用いることで大幅に色再現範囲を拡大させることができる。
実施例２：赤色発光ダイオード２１Ｒのピーク波長λｐｒを長波長側へシフトする場合
上述したように、赤色発光ダイオード２１Ｒのピーク波長λｐｒを長波長側へシフトすると、緑色フィルタＣＦＧとのクロスポイントが下がるため、色再現範囲が広がることになる。
そこで、図２９に示すように、カラーフィルタ１９Ｂに対して、赤色発光ダイオード２１Ｒのピーク波長λｐｒを６４０ｎｍから５ｎｍだけ長波長側にシフトさせ６４５ｎｍとする。図３０は、赤色発光ダイオード２１Ｒのピーク波長λｐｒの変化に対するＮＴＳＣ比の変化の様子を示した図である。図３０に示すように、ＮＴＳＣ比は、カラーフィルタ１９Ｂを用い、青色発光ダイオード２１Ｂのピーク波長λｐｂを４４０ｎｍにシフトした場合の１１５％から１１６％となり、１％向上していることが分かる。
図３１は、カラーフィルタ１９Ｂを用いると共に青色発光ダイオード２１Ｂのピーク波長λｐｂを４４０ｎｍにシフトし、さらに、赤色発光ダイオード２１Ｒのピーク波長λｐｒを６４５ｎｍにシフトさせた場合に、赤色（Ｒ）、緑色（Ｇ）、青色（Ｂ）における各領域で色度点がどれだけ改善されたかを検証するためにｘｙ色度図中に色度点をプロットした図である。図３２、図３３、図３４は、それぞれ青色（Ｂ）、緑色（Ｇ）、赤色（Ｒ）の各領域を拡大した図である。なお、図３１、図３２、図３３、図３４のｘｙ色度図中には、Ｐｏｉｎｔｅｒ’ｓ  Ｃｏｌｏｒ、ｓＲＧＢ規格の色再現範囲、Ａｄｏｂｅ  ＲＧＢ規格の色再現範囲、Ｐｏｉｎｔｅｒ規格の色再現範囲、国際照明委員会（ＣＩＥ）が定めたＸＹＺ表色系、カラーフィルタ１９Ｚの色度点、カラーフィルタ１９Ａの色度点、カラーフィルタ１９Ｂにおいてピーク波長λｐｂ＝４４０ｎｍの青色発光ダイオード２１Ｂを用いた際の色度点も同時に示してある。
図３２、図３３、図３４から一層明らかになるように、青色（Ｂ）、緑色（Ｇ）の領域での色度点に変化はないが、赤色（Ｒ）の領域で色度点が若干改善され、Ｐｏｉｎｔｅｒ’ｓ  Ｃｏｌｏｒのマンセル領域がカバーされている。なお、現時点では、赤色発光ダイオード２１Ｒのピーク波長λｐｒを、６４５ｎｍ以上よりも長波長化するのは製造技術上、非常に困難である。色域を拡大させるためには、赤色発光ダイオード２１Ｒの長波長化は、今後も必須であり、上述したように発光ダイオードそのものの特性改善に依存しているが、今後、ピーク波長λｐｒを超えて長波長化した赤色発光ダイオード２１Ｒが製造されれば色域はさらに広がることになる。
つまり、青色発光ダイオード２１Ｂのピーク波長λｐｂを、４４０ｎｍ≦λｐｂ≦４５０ｎｍとすると共に、カラーフィルタ１９Ａの青色フィルタＣＦＢのピーク波長Ｆｐｂを、４４０ｎｍ≦Ｆｐｂ≦４６０ｎｍとしたカラーフィルタ１９Ｂを用い、さらに、赤色発光ダイオード２１Ｒのピーク波長λｐｒを、６４０ｎｍ≦λｐｒ≦６４５ｎｍとすることで、大幅に色再現範囲を拡大させることができる。
実施例３：緑色フィルタＣＦＧの半値幅を狭め、透過波長帯域を狭める場合
上述したように、緑色フィルタＣＦＧの透過波長帯域を狭めると、赤色発光ダイオード２１Ｒと、青色発光ダイオード２１Ｂとのクロスポイントがそれぞれ下がるため、色再現範囲が広がることになる。
つまり、図３５に示すように、緑色フィルタＣＦＧの半値幅Ｆｈｗｇを、長波長側、短波長側から等分に狭め１００ｎｍから８０ｎｍとする。なお、以下の説明において、カラーフィルタ１９Ｂの緑色フィルタＣＦＧの半値幅Ｆｈｗｇを、長波長側、短波長側から等分に狭めることで８０ｎｍ≦Ｆｈｗｇ≦１００ｎｍとしたカラーフィルタをカラーフィルタ１９Ｃと呼ぶ。
図３６は、緑色フィルタＣＦＧの半値幅Ｆｈｗｇの変化に対するＮＴＳＣ比の変化の様子を示した図である。図３６に示すように、ＮＴＳＣ比は、カラーフィルタ１９Ｂを用い、青色発光ダイオード２１Ｂ、赤色発光ダイオード２１Ｒのピーク波長をそれぞれλｐｂ＝４４０ｎｍ、λｐｒ＝６４５ｎｍとした場合の１１６％から１２０％となり、４％向上していることが分かる。
図３７は、Ｆｈｗｇ＝８０ｎｍである緑色フィルタＣＦＧを用いると共に青色発光ダイオード２１Ｂのピーク波長λｐｂを４４０ｎｍにシフトし、さらに、赤色発光ダイオード２１Ｒのピーク波長λｐｒを６４５ｎｍにシフトさせた場合に、赤色（Ｒ）、緑色（Ｇ）、青色（Ｂ）における各領域で色度点がどれだけ改善されたかを検証するためにｘｙ色度図中に色度点をプロットした図である。図３８、図３９、図４０は、それぞれ青色（Ｂ）、緑色（Ｇ）、赤色（Ｒ）の各領域を拡大した図である。なお、図３７、図３８、図３９、図４０のｘｙ色度図中には、Ｐｏｉｎｔｅｒ’ｓ  Ｃｏｌｏｒ、ｓＲＧＢ規格の色再現範囲、Ａｄｏｂｅ  ＲＧＢ規格の色再現範囲、Ｐｏｉｎｔｅｒ規格の色再現範囲、国際照明委員会（ＣＩＥ）が定めたＸＹＺ表色系、カラーフィルタ１９Ｚの色度点、カラーフィルタ１９Ａの色度点、カラーフィルタ１９Ｂにおいてピーク波長λｐｂ＝４４０ｎ
ｍの青色発光ダイオード２１Ｂを用いた際の色度点、カラーフィルタ１９Ｂにおいてピーク波長λｐｂ＝４４０ｎｍの青色発光ダイオード２１Ｂ及びピーク波長λｐｒ＝６４５ｎｍの赤色発光ダイオード２１Ｒを用いた際の色度点も同時に示してある。
図３８、図３９、図４０より一層明らかになるように、青色（Ｂ）、赤色（Ｒ）の領域での色度点に変化はないが、緑色（Ｇ）の領域で色度点が改善され、Ａｄｏｂｅ  ＲＧＢ規格の色再現範囲、つまりはＰｏｉｎｔｅｒ規格の色再現範囲をカバーしながら、さらに色域が広がっている。
つまり、カラーフィルタ１９Ｂの緑色フィルタＣＦＧの半値幅Ｆｈｗｇを、長波長側、短波長側から等分に狭めることで８０ｎｍ≦Ｆｈｗｇ≦１００ｎｍとしたカラーフィルタ１９Ｃを用い、青色発光ダイオード２１Ｂのピーク波長λｐｂを、４４０ｎｍ≦λｐｂ≦４５０ｎｍとし、さらに、赤色発光ダイオード２１Ｒのピーク波長λｐｒを、６４０ｎｍ≦λｐｒ≦６４５ｎｍとすることで、さらに大幅に色再現範囲を拡大させることができる。
なお、緑色フィルタＣＦＧの半値幅Ｆｈｗｇを狭める場合は、輝度が低下する場合がある。そのように輝度の低下があった場合には、所望の輝度を確保するために、例えば、緑色フィルタＣＦＧの透過率を上昇させるなどの対策を施すとよい。
実施例４：カラーフィルタ１９の更なる改善
カラーフィルタ１９の改善については、上述した実施例１及び実施例３にて説明をした。実施例１においては、緑色フィルタＣＦＧとのクロスポイントを下げるべく青色発光ダイオード２１Ｂのピーク波長λｐｂを短波長化させたことに伴い、青色フィルＣＦＢの透過波長帯域を、そのピーク波長Ｆｐｂが４６０ｎｍから４４０ｎｍとなるように短波長側にシフトさせ、緑色発光ダイオード２１Ｇとのクロスポイントを下げた。また、実施例３においては、緑色フィルタＣＦＧの透過波長帯域を狭めるように、半値幅Ｆｈｗｇを短波長側及び長波長側等分に１００ｎｍから８０ｎｍとすることで、赤色発光ダイオード２１Ｒとのクロスポイント、青色発光ダイオード２１Ｂとのクロスポイントを、それぞれ下げるようにした。
実施例４においては、上記改善点に加えて、色純度を高め、色域を広げるためのカラーフィルタ１９に対する新たな改善点を示すこととする。
図４１に、新たな改善を施したカラーフィルタ１９の分光特性と、発光ダイオード２１のスペクトル特性を示す。図４１に太点線で示す分光特性は、上述した図１２で示したカラーフィルタ１９Ｚの分光特性である。また、太実線で示す分光特性は、カラーフィルタ１９Ｚに対して新たな改善を施した際の分光特性であり、細実線は、各発光ダイオード２１のスペクトル特性である。青色発光ダイオード２１Ｂ及び赤色発光ダイオード２１Ｒは、実施例１、実施例３で示したように、それぞれ短波長側、長波長側へはシフトさせておらず、図１２に示したような基準となるピーク波長である。
図４１に示すカラーフィルタ１９の分光特性からも分かるように、青色フィルタＣＦＢは、透過波長帯域が短波長側にシフトするように、ピーク波長Ｆｐｂが４６０ｎｍから４４０ｎｍに２０ｎｍシフトされている。
また、赤色フィルタＣＦＲは、透過波長帯域が長波長側にシフトするように、ピーク波長Ｆｐｒが６８５ｎｍから６９０ｎｍに５ｎｍシフトされている。
さらに、緑色フィルタＣＦＧは、青色発光ダイオード２１Ｂとのクロスする短波長側の透過波長帯域のみを長波長側にシフトするように、半値幅Ｆｈｗｇを１００ｎｍから９０ｎｍに１０ｍシフトし、さらに、透過波長帯域の減少を補うために透過率を全体で１５％上昇させている。
なお、以下の説明において、カラーフィルタ１９Ｚの青色フィルタＣＦＢのピーク波長Ｆｐｂを４４０ｎｍ≦Ｆｐｂ≦４６０ｎｍとし、赤色フィルタＣＦＲのピーク波長Ｆｐｒを６８５ｎｍ≦Ｆｐｒ≦６９０ｎｍとし、緑色フィルタＣＦＧのピーク波長Ｆｐｇを５３０ｎｍとし、このスペクトルの半値幅Ｆｈｗｇを、短波長側の透過波長帯域を狭めることで９０ｎｍ≦Ｆｈｗｇ≦１００ｎｍとすると共に、緑色フィルタＣＦＧの透過率を１５％上昇させたカラーフィルタをカラーフィルタ１９Ｄと呼ぶ。
図４２は、Ｆｐｂ＝４４０ｎｍ、Ｆｐｇ＝５３０ｎｍ、Ｆｐｒ＝６９０ｎｍ、Ｆｈｗｇ＝９０ｎｍ、緑色フィルタＣＦＧの透過率を１５％上昇させたカラーフィルタ１９Ｄを用いた場合に、赤色（Ｒ）、緑色（Ｇ）、青色（Ｂ）における各領域で色度点がどれだけ改善されたかを検証するためにｘｙ色度図中に色再現範囲を示した図である。なお、図４２のｘｙ色度図中には、Ａｄｏｂｅ  ＲＧＢ規格の色再現範囲、国際照明委員会（ＣＩＥ）が定めたＸＹＺ表色系、ｓＲＧＢ規格の色再現範囲、カラーフィルタ１９Ｚの色再現範囲も同時に示してある。
図４２に示すように、カラーフィルタ１９Ｄを用いると、青色（Ｂ）、赤色（Ｒ）の領域の色域は、ｓＲＧＢ規格の色域はもちろん、Ａｄｏｂｅ  ＲＧＢ規格の色域、カラーフィルタ１９Ｚの色域よりも広くなっているのが分かる。
つまり、カラーフィルタ１９Ｚの青色フィルタＣＦＢのピーク波長Ｆｐｂを４４０ｎｍ≦Ｆｐｂ≦４６０ｎｍとし、赤色フィルタＣＦＲのピーク波長Ｆｐｒを６８５ｎｍ≦Ｆｐｒ≦６９０ｎｍとし、緑色フィルタＣＦＧのピーク波長Ｆｐｇを５３０ｎｍとし、このスペクトルの半値幅Ｆｈｗｇを、短波長側の透過波長帯域を狭めることで９０ｎｍ≦Ｆｈｗｇ≦１００ｎｍとすると共に、緑色フィルタＣＦＧの透過率を１５％上昇させたカラーフィルタ１９Ｄを用いることで、大幅に色再現範囲を拡大させることができる。
しかしながら、緑色（Ｇ）の領域の色域は、カラーフィルタ１９Ｚと同様に、Ａｄｏｂｅ  ＲＧＢ規格の色域をカバーすることができていないことが分かる。したがって、以下に示す実施例５では、これを改善し、さらに色域を広げるような特性を有する発光ダイオード２１を選択し、最適化する。
実施例５：発光ダイオード２１の更なる最適化
図４３は、上述したカラーフィルタ１９Ｚの分光特性（太点線で図示。）と、カラーフィルタ１９Ｄの分光特性（太実線で図示。）と、最適化する前の発光ダイオード２１のスペクトル特性（細点線で図示。）と、最適化後の発光ダイオード２１のスペクトル特性（細実線で図示。）を示している。
図４３に示すように、青色発光ダイオード２１Ｂのピーク波長λｐｂを４５０ｎｍから４４０ｎｍへ１０ｎｍ短波長側にシフトさせ、緑色発光ダイオード２１Ｇのピーク波長λｐｇを５２５ｎｍから５３０ｎｍへ５ｎｍ長波長側にシフトさせ、赤色発光ダイオード２１Ｒのピーク波長λｐｒを６４０ｎｍから６４５ｎｍへ５ｎｍ長波長側にシフトさせる。
青色発光ダイオード２１Ｂの短波長側への１０ｎｍのシフト、赤色発光ダイオード２１Ｒの長波長側への５ｎｍのシフトについては、上述した実施例１、実施例２について説明したとおりである。一方、ピーク波長λｐｇを長波長側へシフトさせた緑色発光ダイオード２１Ｇを用いると、図１２で説明したように、青色発光ダイオード２１Ｂのピーク波長λｐｂと、緑色発光ダイオード２１Ｇのピーク波長λｐｇとの間隔ｄ１が広がるため、青色フィルタＣＦＢとのクロスポイントを下げることができる。したがって、緑色領域の色純度を高め、色域を広げることができる。
図４４、４５、４６は、カラーフィルタ１９Ｄを用いると共に、発光ダイオード２１を図４３で示したように最適化させた場合に、それぞれ青色（Ｂ）、緑色（Ｇ）、赤色（Ｒ）における各領域で色度点がどれだけ改善されたかを検証するためにｘｙ色度図中に色再現範囲を示した各領域を拡大した図である。なお、図４４、４５、４６のｘｙ色度図中には、Ａｄｏｂｅ  ＲＧＢ規格の色再現範囲、Ｐｏｉｎｔｅｒ規格の色再現範囲、国際照明委員会（ＣＩＥ）が定めたＸＹＺ表色系、ｓＲＧＢ規格の色再現範囲、カラーフィルタ１９Ｚの色再現範囲、カラーフィルタ１９Ｄの色再現範囲も同時に示してある。
図４４、図４５、図４６より一層明らかになるように、各色領域での色域が広がっており、特に、図４５に示す実施例４では改善されていなかった緑色（Ｇ）の領域、図４６に示す赤色（Ｒ）の領域がＡｄｏｂｅ  ＲＧＢ規格の色再現範囲を超えているのが分かる。
また、このときのＮＴＳＣ比は、１１６％であり、カラーフィルタ１９Ｚを用いた場合のＮＴＳＣ比である１０５％を大幅に向上させることができる。さらに、緑色フィルタＣＦＧの半値幅を狭め、広色域化とした場合の輝度の低下を、視感度の高い緑色光の透過率を１５％上昇させることで補っているため、輝度を低下させることがない。
つまり、カラーフィルタ１９Ｄを用い、青色発光ダイオード２１Ｂのピーク波長λｐｂを、４４０ｎｍ≦λｐｂ≦４５０ｎｍとし、赤色発光ダイオード２１Ｒのピーク波長λｐｒを、６４０ｎｍ≦λｐｒ≦６４５ｎｍとし、さらに、緑色発光ダイオード２１Ｇのピーク波長λｐｇを、５２５ｎｍ≦λｐｇ≦５３０ｎｍとすることで、さらに大幅に色再現範囲を拡大させることができる。
このようにして、本発明の実施の形態として示すカラー液晶表示装置１００は、カラー液晶表示パネル１０に設けられる赤色フィルタＣＦＲ、緑色フィルタＣＦＧ、青色フィルタＣＦＢの特性と、バックライト装置２０に設けられる赤色発光ダイオード２１Ｒ、緑色発光ダイオード２１Ｇ、青色発光ダイオード２１Ｂの特性とのマッチングを図り最適化することで、カラー液晶表示パネル１０に表示される画像の色再現範囲を拡大させることができる。
なお、上述した実施例１乃至５に示したカラーフィルタ１９の各色フィルタに対する改善項目、最適化された各発光ダイオード２１は、必ずしも全ての改善項目、発光ダイオード２１の条件を組み合わせて用いる必要はなく、それぞれ単独で使用することで、色再現範囲を広げるようにしてもよい。
さらにまた、本発明の実施の形態として示すカラー液晶表示装置１００は、カラー液晶表示パネル１０の直下に光源を配した直下型のバックライト装置２０を備えた構成としているが、本発明はこれに限定されるものではなく、バックライト装置として導光板のサイドに配した光源からの光を、導光板にて混色させるエッジライト型を採用した場合も、同等の効果を発揮することができる。
なお、本発明は、図面を参照して説明した上述の実施例に限定されるものではなく、添付の請求の範囲及びその主旨を逸脱することなく、様々な変更、置換又はその同等のものを行うことができることは当業者にとって明らかである。
【図１】
2006009009.tif 000002
【図２】
2006009009.tif 000003
【図３】
2006009009.tif 000004
【図４】
2006009009.tif 000005
【図５】
2006009009.tif 000006
【図６】
2006009009.tif 000007
【図７】
2006009009.tif 000008
【図８】
2006009009.tif 000009
【図９】
2006009009.tif 000010
【図１０】
2006009009.tif 000011
【図１１】
2006009009.tif 000012
【図１２】
2006009009.tif 000013
【図１３】
2006009009.tif 000014
【図１４】
2006009009.tif 000015
【図１５】
2006009009.tif 000016
【図１６】
2006009009.tif 000017
【図１７】
2006009009.tif 000018
【図１８】
2006009009.tif 000019
【図１９】
2006009009.tif 000020
【図２０】
2006009009.tif 000021
【図２１】
2006009009.tif 000022
【図２２】
2006009009.tif 000023
【図２３】
2006009009.tif 000024
【図２４】
2006009009.tif 000025
【図２５】
2006009009.tif 000026
【図２６】
2006009009.tif 000027
【図２７】
2006009009.tif 000028
【図２８】
2006009009.tif 000029
【図２９】
2006009009.tif 000030
【図３０】
2006009009.tif 000031
【図３１】
2006009009.tif 000032
【図３２】
2006009009.tif 000033
【図３３】
2006009009.tif 000034
【図３４】
2006009009.tif 000035
【図３５】
2006009009.tif 000036
【図３６】
2006009009.tif 000037
【図３７】
2006009009.tif 000038
【図３８】
2006009009.tif 000039
【図３９】
2006009009.tif 000040
【図４０】
2006009009.tif 000041
【図４１】
2006009009.tif 000042
【図４２】
2006009009.tif 000043
【図４３】
2006009009.tif 000044
【図４４】
2006009009.tif 000045
【図４５】
2006009009.tif 000046
【図４６】
2006009009.tif 000047
【国際調査報告】
2006009009.tif 000048
2006009009.tif 000049
2006009009.tif 000050
2006009009.tif 000051